(57)【特許請求の範囲】
【請求項１】
デジタルオーディオ放送を受信する第１の受信手段と、
前記デジタルオーディオ放送と同一内容の番組が含まれる他の放送を受信する第２の受信手段と、
前記デジタルオーディオ放送と前記他の放送とで同じ内容の番組が放送されているときに、この同じ内容の番組を前記第２の受信手段に受信させるとともに、前記第１の受信手段にこの同じ内容の番組以外の番組を受信させる受信制御手段と、
を備えることを特徴とする多重放送受信機。
【請求項２】
請求項１において、
前記第２の受信手段によって受信する前記他の放送は、ＡＭ放送、ＦＭ放送、ラジオデータシステム放送の少なくとも一つであることを特徴とする多重放送受信機。
【請求項３】
請求項１または２において、
前記受信制御手段は、前記第２の受信手段によって受信する放送の受信品質が所定値以上であるときに、前記第２の受信手段に前記同じ内容の番組を受信させることを特徴とする多重放送受信機。
【請求項４】
請求項１〜３のいずれかにおいて、
前記同じ内容の番組を前記第２の受信手段によって受信しているときに、前記第１の受信手段によって受信可能な所定の番組の検索処理を並行して行う番組検索手段をさらに備えることを特徴とする多重放送受信機。
【発明の詳細な説明】
【０００１】
【発明の属する技術分野】
本発明は、デジタルオーディオ放送とＦＭ放送等の双方が受信可能な多重放送受信機に関する。
【０００２】
【従来の技術】
今日、デジタルオーディオは、その優れた特性と使いやすさから一般に認められ、急速に普及してきている。このような背景から、オーディオ放送のデジタル化の動きが活発になってきており、デジタルオーディオ放送ＤＡＢ（Digital Audio Broadcasting）が欧州で実用化されている。
【０００３】
このようなＤＡＢ用の受信機（ＤＡＢ受信機）は、通常のＶＨＦ／ＦＭ受信機に比べて構成がかなり複雑になるが、それを補って余りある多くの利点がある。例えば、移動する自動車の中でもＣＤ並みの音質が確保できる。多くの放送番組を受信できる、複数の言語で番組を放送できる、天候や交通情報を絶え間なく受信できる、音声や映像による広告を受信できるなどの利点がある。
【０００４】
現在のＤＡＢの各放送チャンネルは、テレビジョン放送の各チャンネルに割り当てられた受信周波数間の空き周波数が利用されており、全体で６４チャンネル分が用意されている。各放送チャンネルに対応した搬送波周波数群をアンサンブルといい、各アンサンブルには複数の放送番組（サービス）が多重化されている。
【０００５】
また、ＤＡＢの番組の中にはＦＭ放送やＡＭ放送の番組と重複しているものがある。このため、ＡＭ放送やＦＭ放送も併せて受信可能な従来のＤＡＢ受信機では、ＤＡＢの番組の内容とＦＭ放送あるいはＡＭ放送の番組の内容が同じである場合には、音質を重視してＤＡＢの番組を優先的に受信していた。
【０００６】
【発明が解決しようとする課題】
ところで、上述した従来のＤＡＢ受信機は、ＤＡＢの受信信号に含まれる制御情報に基づいて様々な番組検索処理を行うことが可能である。例えば、ＤＡＢの番組と同一の内容を有する番組がＦＭ放送あるいはＡＭ放送に含まれるか否かを調べたり、プログラムタイプやアナウンスメントタイプを指定することによりサーチモードあるいはウォッチモードと称される各種の検索処理を行うことが可能となる。ところが、従来のＤＡＢ受信機では、ＤＡＢの番組とＦＭ放送等の番組の内容が同じである場合に、ＤＡＢの番組を優先的に受信していたため、ＤＡＢの搬送波周波数を自由に切り替えて各種の検索動作を行うことができず、動作に制約があった。例えば、利用者が選択可能な搬送波周波数を検出しようとすると、実際に受信周波数を掃引する等の処理が必要になるが、いずれかの番組を受信している間は、搬送波周波数を切り替えることができないため、このような搬送波周波数の検出動作はできないことになる。また、ＤＡＢの番組を受信している間はＦＭ放送やＡＭ放送の受信機能は有効に使用されないため、受信機全体では無駄が多かった。
【０００７】
本発明は、このような点に鑑みて創作されたものであり、その目的は、装置全体の機能を有効に使用することができ、しかも動作の制約が少ない多重放送受信機を提供することにある。
【０００８】
【課題を解決するための手段】
上述した課題を解決するために、本発明の多重放送受信機は、デジタルオーディオ放送を受信する第１の受信手段と、このデジタルオーディオ放送と同一内容の番組が含まれる他の放送を受信する第２の受信手段とを有しており、同じ内容の番組が放送されている場合には、この番組を第２の受信手段によって優先的に受信している。したがって、デジタルオーディオ放送を受信する第１の受信手段は、自由に搬送波周波数を切り替えることができ、実際に各種の番組を受信可能な周波数を調べたり、複数の搬送波に含まれる各種の制御情報を用いた様々な検索処理等が可能であり、受信機全体の機能を有効に利用することができるとともに、デジタルオーディオ放送を用いる場合の各種受信動作の制約を少なくすることができる。
【０００９】
特に、上述した第２の受信手段は、ＡＭ放送、ＦＭ放送、ラジオデータシステム放送の少なくとも一つが受信可能であることが好ましい。現に、これらの各種放送とデジタルオーディオ放送では同一内容の番組を重複して受信することができるため、聞きたい内容の番組を第２の受信手段を利用して受信し、この受信動作と並行して、第１の受信手段による受信周波数を自由に切り替えて各種の受信動作や制御動作を行うことができる。
【００１０】
また、上述した第２の受信手段を用いた番組の受信は、第２の受信手段によって受信する番組の受信品質が所定値以上であるときに行うことが好ましい。このようにすることで、受信番組の品質を特に低下させることなく、第１の受信手段を用いた各種の動作が可能となる。
【００１１】
【発明の実施の形態】
本発明の多重放送受信機を適用した一実施形態のＤＡＢ受信機は、ＤＡＢとＦＭ放送等で同一内容の番組が放送されているときに、ＦＭ放送等の番組を優先的に受信してその音声を出力するとともに、その背後でＤＡＢの様々な処理を行うことに特徴がある。なお、受信可能なＤＡＢ用の番組にはＤＡＢのサービスとアナウンスメントの両方が含まれる。以下、本発明を適用した一実施形態のＤＡＢ受信機について図面を参照しながら説明する。
【００１２】
図１は、本発明を適用した一実施形態のＤＡＢ受信機の構成を示す図である。同図に示すＤＡＢ受信機１は、ＤＡＢアンテナ２、ＤＡＢフロントエンド部４、ＤＡＢデコード部６、オーディオデコード部８、デジタル−アナログ変換器（Ｄ／Ａ変換器）１０、アンプ１２、スピーカ１４、ＦＭ・ＡＭアンテナ１６、ＦＭ・ＡＭフロントエンド部１８、ＦＭ・ＡＭ復調部２０、ＲＤＳ（Radio Data System ）デコード部２２、制御部２４、スイッチ部２６、操作部２８、表示部３０を含んで構成されている。
【００１３】
ＤＡＢフロントエンド部４は、ＤＡＢアンテナ２を介して受信した信号の中から所望の受信周波数（同調周波数）成分を抽出するとともに、この抽出した信号に対して周波数変換を行った中間周波信号を出力する。ＤＡＢデコード部６は、ＤＡＢフロントエンド部４から出力される中間周波信号に対して、直交復調処理、ＦＦＴ（高速フーリエ変換）復調処理、復号処理を行って、インタリーブされた送信データを復調し、さらにこのインタリーブを解いて元のデータ列に戻した後に誤り検出訂正処理を行って、多重化された放送番組のシンボル位置を示す各アンサンブルのサービスリスト等を含む高速情報チャネルＦＩＣや復号データ（ＭＰＥＧオーディオデータ）からなるデータフレームを出力する。
【００１４】
オーディオデコード部８は、ＤＡＢデコード部６から出力される復号データ（ＭＰＥＧオーディオデータ）を元に戻す伸長処理を行い、伸長したＰＣＭオーディオデータを出力する。Ｄ／Ａ変換器１０は、オーディオデコード部８から出力されるＰＣＭオーディオデータをアナログ信号に変換して出力する。アンプ１２は、Ｄ／Ａ変換器１０から出力されるアナログ音声信号や後述するＦＭ検波あるいはＡＭ検波後のアナログ音声信号を増幅し、これらの増幅された音声信号がスピーカ１４から出力される。
【００１５】
ＦＭ・ＡＭフロントエンド部１８は、ＦＭ・ＡＭアンテナ１６を介して受信した信号の中から所望の受信周波数（同調周波数）成分を抽出するとともに、この抽出された信号に対して周波数変換を行って得られた中間周波数信号を増幅する。また、ＦＭ・ＡＭフロントエンド部１８は、増幅された中間周波信号をＡＭ検波した受信電界強度信号を制御部２４に向けて出力する。ＦＭ・ＡＭ復調部２０は、ＦＭ・ＡＭフロントエンド部１８から出力される中間周波信号に対して、ＡＭ検波あるいはＦＭ検波を行って、アナログの音声信号を出力する。また、ＦＭ・ＡＭ復調部２０は、ＦＭ放送に多重化されているＦＭ多重信号を分離して、ＲＤＳデコード部２２に向けて出力する。ＲＤＳデコード部２２は、ＦＭ・ＡＭ復調部２０から出力されるＦＭ多重信号に対して遅延検波を施し、ビットクロックの再生とビットデータ列の復調を行う。
【００１６】
制御部２４は、ＤＡＢフロントエンド部４やＦＭ・ＡＭフロントエンド部１８による周波数同調制御、ＤＡＢデコード部６やＲＤＳデコード部２２に対する制御指示等を行うことによりＤＡＢ受信機１の全体を制御する。また、制御部２４は、ＤＡＢフロントエンド部４やＦＭ・ＡＭフロントエンド部１８から入力される受信電界強度信号や後述するＤＡＢのデータフレームに含まれる制御情報に基づいて、スイッチ部２６に対して入力音声の切り替え指示を出す。
【００１７】
スイッチ部２６は、制御部２４から出力される切り替え指示に応じて、Ｄ／Ａ変換器１０あるいはＦＭ・ＡＭ復調部２０から出力される音声信号を選択的にアンプ１２に向けて出力する。操作部２８は、利用者によって番組切替指示等を行うために各種操作キーを備えており、利用者による操作キーの操作状況を制御部２４に送る。表示部３０は、現在受信しているＤＡＢの番組に付された名称を表示したり、利用者による操作部２８の操作状況を表示する。
【００１８】
上述したＤＡＢフロントエンド部４、ＤＡＢデコード部６、オーディオデコード部８、制御部２４が第１の受信手段に、ＦＭ・ＡＭフロントエンド部１８、ＦＭ・ＡＭ復調部２０、ＲＤＳデコード部２２、制御部２４が第２の受信手段に、制御部２４が受信制御手段および番組検索手段にそれぞれ対応している。
【００１９】
図２は、ＤＡＢ受信機１において採用されるＤＡＢのモードＩＩのフレーム構造を示す図である。１フレーム長は、２４ｍｓであり、２シンボルの同期信号ＳＹＮＣと、３シンボルの高速情報チャネルＦＩＣと、７２シンボルのデータフィールドＤＦＬで構成されている。同期信号ＳＹＮＣは、フレームの開始点を認識するために使用するヌルシンボルと位相基準シンボルＰＲＳを含んでいる。
【００２０】
高速情報チャネルＦＩＣは、３つの高速情報ブロックＦＩＢから構成されている。また、データフィールドＤＦＬは７２個のデータフィールドに区分され、それぞれのデータフィールドに所定のサービス、アナウンスメントの放送信号が挿入されており、１つの放送波から同時に６〜８サービスを受信できるようになっている。どのデータフィールドにどのサービスが対応するかは、高速情報チャネルＦＩＣに含まれるサービスリストで指定される。
【００２１】
高速情報ブロックＦＩＢは、複数の高速情報グループＦＩＧから構成されている。各高速情報グループＦＩＧは、ＦＩＧヘッダとＦＩＧデータフィールドから構成されている。ＦＩＧヘッダは、ＦＩＧデータフィールドに含まれるデータのタイプを示す「ＦＩＧタイプ」と、ＦＩＧデータフィールドのバイト長を示す「長さ」とからなっている。また、ＦＩＧデータフィールドの先頭の１バイトは、ＦＩＧタイプ毎に異なる内容を有しており、その一部にエクステンションが含まれている。
【００２２】
例えば、タイプ０フィールドの場合には、ＦＩＧデータフィールドの先頭１バイトには、上位から順に、Ｃ／Ｎ（Current/Next）フラグ、ＯＥ（Other Ensemble）フラグ、Ｐ／Ｄフラグ、エクステンションが含まれている。ＦＩＧタイプとエクステンションとによって、ＦＩＧデータフィールドに含まれる詳細なデータの内容が規定される。以下では、例えばＦＩＧタイプ０フィールドのエクステンション１７に対応したデータフィールドをＦＩＧ（０／１７）と表すこととする。
【００２３】
ＦＩＧデータフィールドの先頭の１バイトを除く領域には、ＦＩＧタイプとエクステンションによって特定される各種のデータが含まれており、このデータを読み出すことにより、各種の受信制御を行うことができる。例えば、ＦＩＧ（０／５）には使用している言語コードが、ＦＩＧ（１／０）とＦＩＧ（１／１）には番組受信中に表示部２２に表示する各アンサンブル名やサービス名に対応したテキストデータが含まれている。
【００２４】
以下に、本実施形態における受信動作に必要な高速情報データグループＦＩＧについて説明する。アンサンブル内のサービスリストに関するＦＩＧ（０／２）は、アンサンブル識別ＥＩｄと、着目しているアンサンブルに含まれるサービスを識別するサービス識別ＳＩｄとを含んで構成されている。これらのアンサンブル内のサービスリストに関するＦＩＧ（０／２）を解析することによって、例えば、現在受信中のアンサンブルに含まれる各サービスのサービス識別ＳＩｄを知ることができる。また、サブチャンネルに関するＦＩＧ（０／１）を解析することによって、そのサービスを受信するためのデータを検出することができる。
【００２５】
プログラムタイプ（ＰＴｙ）に関するＦＩＧ（０／１７）は、サービス識別ＳＩｄ、Ｉｎｔ（International ）コード、コース（Coarse）コード、ファイン（Fine）コードを含んで構成されている。サービス識別ＳＩｄは、個々のサービスに対して付与される識別子である。また、Ｉｎｔコードは、「ニュース」や「スポーツ」等の基本的なプログラムタイプのカテゴリを示すものである。通常は、このＩｎｔコードのみが放送局から送られてくるが、さらに詳細な分類を示すコースコードやファインコードが送られてくる場合もある。
【００２６】
現在受信中のアンサンブルについてのアナウンスメントサポートに関するＦＩＧ（０／１８）は、アナウンスメントサポート（Ａｓｕ）フラグ、クラスタ数（Number of clusters）、クラスタ（Cluster ）Ｉｄを含んで構成されている。Ａｓｕフラグは、先頭のサービス識別ＳＩｄで特定されるサービスがサポートしているアナウンスメントタイプを示すフラグである。アナウンスメントタイプとしては、緊急放送、道路交通情報放送、ニュース放送、天気予報放送等がある。また、クラスタ数は、続くクラスタＩｄの数を示しており、最大２３となっている。クラスタＩｄは、サービス識別ＳＩｄで示されるサービスがサポートしているアナウンスメントのグループ（アナウンスメントクラスタ）を識別するための識別子である。
【００２７】
現在受信中のアンサンブルについてのアナウンスメントスイッチングに関するＦＩＧ（０／１９）は、クラスタＩｄ、アナウンスメントスイッチング（Ａｓｗ）フラグ、ニューフラグ（New flag）、リージョンフラグ（Region flag ）、サブチャンネル識別（SubChId ）を含んで構成されている。Ａｓｗフラグは、各クラスタＩｄで示されるアナウンスメントクラスタの放送状態を示すものである。そのクラスタＩｄに属しているアナウンスメントが放送されている場合には、Ａｓｗフラグのうち、放送中のアナウンスメントタイプに対応するビットが“１”にセットされ、アナウンスメントが放送されていない場合には、そのクラスタＩｄに対応するＡｓｗフラグが全て“０”にクリアされる。ニューフラグは、着目しているアナウンスメントが初めて送信されたもの（フラグは“１”）であるか、以前に放送されたものが再送されたもの（フラグは“０”）であるかを示すフラグである。
【００２８】
アナウンスメントサポートに関するＦＩＧ（０／１８）およびアナウンスメントスイッチングに関するＦＩＧ（０／１９）を解析することによって、各サービスがサポートしているアナウンスメントを知ることができ、さらに、そのアナウンスメントが放送中であるか否か、放送中であれば、再送されたものであるか否かを知ることができる。
【００２９】
サービスとＤＡＢやＦＭ等の周波数インフォメーションに関するＦＩＧ（０／６）およびＦＩＧ（０／２１）は、各サービスのサービス識別ＳＩｄと、着目しているサービスを受信することができるＤＡＢやＦＭ等の受信周波数とを含んで構成されている。ＦＩＧ（０／６）およびＦＩＧ（０／２１）を解析することによって、あるサービスを受信可能なＤＡＢやＦＭ等の受信周波数を知ることができる。
【００３０】
現在受信中でないアンサンブルについてのアナウンスメントサポートに関するＦＩＧ（０／２５）は、アナウンスメントサポート（Ａｓｕ）フラグ、アンサンブル識別ＥＩｄを含んで構成されている。Ａｓｕフラグは、先頭のサービス識別ＳＩｄで特定されるサービス（現在受信中でないアンサンブルのサービス）がサポートしているアナウンスメントタイプを示すフラグである。また、アンサンブル識別ＥＩｄには、着目しているアナウンスメントを受信することができるアンサンブルに対応した識別符号が設定されている。
【００３１】
現在受信中でないアンサンブルについてのアナウンスメントスイッチングに関するＦＩＧ（０／２６）は、アナウンスメントスイッチング（Ａｓｗ）フラグ、ニューフラグ、リージョンフラグ、アンサンブル識別ＥＩｄ等を含んで構成されている。アンサンブル識別ＥＩｄには、着目しているアナウンスメントを現在受信することが可能なアンサンブルに対応した識別符号が設定されている。
【００３２】
本実施形態のＤＡＢ受信機１は、このような構成を有しており、次にその動作を説明する。図３は、本実施形態のＤＡＢ受信機によるサービス切り替え動作において、ＤＡＢとＦＭ放送またはＡＭ放送が同一内容のサービスを放送している場合の動作手順を示す図である。
【００３３】
制御部２４は、利用者によって操作部２８が操作されて、「ＤＡＢ受信」キー、「ＦＭ受信」キー、「ＡＭ受信」キーのいずれかが操作されて、各放送サービスの受信が指示されたか否かを監視している（ステップ１０１、１０２）。このような受信指示の監視状態において、利用者によって「ＤＡＢ受信」キーが押下された場合には、制御部２４は、ＤＡＢ受信動作を開始する（ステップ１０３）。具体的には、制御部２４は、ＤＡＢデコード部６に対して所定のサービス識別ＳＩｄを有するサービスを多重化データの中から分離する指示を送る。ＤＡＢデコード部６は、制御部２４から送られてくる指示に応じて、データフィールドＤＦＬに含まれる多重化データの中から、指定されたサービス識別情報に対応するサービスの音声データ（ＭＰＥＧオーディオデータ）を抽出する。この抽出された音声データは、オーディオデコード部８によってＰＣＭオーディオデータに変換され、さらにＤ／Ａ変換器１０によってアナログの音声信号に変換される。また、制御部２４は、スイッチ部２６に向けて切り替え指示を出力し、Ｄ／Ａ変換器１０から出力されたアナログの音声信号がアンプ１２を通すことにより増幅されて、スピーカ１４から出力される。
【００３４】
このようにしてＤＡＢのサービス受信が開始された後、制御部２４は、ＤＡＢのサービスあるいはアナウンスメントを受信中であるか否かを判断する（ステップ１０４）。ＤＡＢのサービス受信が開始された直後においては肯定判断され、次に制御部２４は、受信中のＤＡＢのサービスと同じ内容のサービスがＦＭ放送やＡＭ放送あるいはＲＤＳ放送（以下、ＦＭ放送等）でも放送されているか否かを判定する（ステップ１０５）。
【００３５】
上述したように、アンサンブル内のサービスリストに関するＦＩＧ（０／２）を解析して、現在受信中のアンサンブルに含まれるサービスのサービス識別ＳＩｄを取得することができる。さらに、サービスとＤＡＢやＦＭ等の周波数インフォメーションに関するＦＩＧ（０／６）およびＦＩＧ（０／２１）を解析することによって、ＦＩＧ（０／２）の解析によって取得されたサービス識別ＳＩｄに対応するＦＭ放送等の受信周波数を取得することができる。すなわち、この取得された受信周波数は、現在受信中のサービスと同一内容のサービスを放送しているＦＭ放送等の受信周波数である。
【００３６】
同一内容のサービスがＦＭ放送等でも放送されている場合（ステップ１０５の肯定判断）には、制御部２４は、その同一内容のサービスを放送しているＦＭ放送等の受信品質が所定値以上であるか否かの判定を行う（ステップ１０６）。具体的には、制御部２４は、ＦＭ・ＡＭフロント部１８に対してステップ１０５の判定を行うために取得した周波数への切り替え指示を出す。この指示に従って、ＦＭ・ＡＭフロントエンド部１８は、指示された受信周波数成分の抽出、周波数変換、増幅によって得られた中間周波信号に対してＡＭ検波を行って、受信電界強度信号を制御部２４に出力する。制御部２４は、この受信電界強度信号に基づいて受信品質を判定する。その結果、受信品質が所定値以上であった場合は、スイッチ部２６に向けて切り替え指示を出して、スピーカ１４から音声出力する放送をＤＡＢからＦＭ放送等に切り替える（ステップ１０７）。
【００３７】
なお、同一内容のサービスがＦＭ放送等で放送されていない場合（ステップ１０５の否定判断）やＦＭ放送等の受信品質が所定値以上でなかった場合（ステップ１０６の否定判断）には、ステップ１０１、１０２に戻り、ＤＡＢ受信指示がされたか否か、または、ＦＭ放送等の受信指示がされたか否かを監視する。
【００３８】
また、ＦＭ放送等の受信が指示された場合（ステップ１０２の肯定判断）は、制御部２４は、その受信動作を開始し（ステップ１０８）、受信したＦＭ放送等の受信品質が所定値以上であるか否かを判定する（ステップ１０４、１０９）。具体的な判定手順は、上述したステップ１０６と同様である。ＦＭ放送等の受信品質が所定値以上でなかった場合には、制御部２４は、受信中のＦＭ放送等のサービスと同一内容のサービスがＤＡＢで放送されているか否かを判定する（ステップ１１０）。
【００３９】
具体的には、まず、制御部２４は、ＤＡＢをバックグラウンドで受信するためにＤＡＢフロントエンド部４に対して、ＤＡＢ受信の指示を出す。ＤＡＢフロントエンド部４は、この指示に従って、ＤＡＢアンテナ２を介して受信した信号の中から所定の受信周波数（同調周波数）成分を抽出するとともに、この抽出した信号に対して周波数変換を行った中間周波信号を出力する。ＤＡＢデコード部６は、ＤＡＢフロントエンド部４から出力される中間周波信号に対して、直交復調処理等の所定の処理を行って送信データを復調して、高速情報チャネルＦＩＣを制御部２４に出力する。制御部２４は、高速情報チャネルＦＩＣに含まれるアンサンブル内のサービスリストに関するＦＩＧ（０／２）を解析して、バックグラウンドで現在受信中のＤＡＢのアンサンブルのサービスのサービス識別ＳＩｄを取得する。さらに、サービスとＤＡＢやＦＭ等の周波数インフォメーションに関するＦＩＧ（０／６）およびＦＩＧ（０／２１）を解析することによって、現在受信中でないＤＡＢのアンサンブルのサービスのサービス識別コードＳＩｄや現在受信中のＦＭ放送等のサービスのサービス識別コードＳＩｄを取得する。現在受信中のＦＭ放送等のサービス識別コードＳＩｄが現在受信中のＤＡＢのアンサンブルのサービスのサービス識別ＳＩｄまたは現在受信中でないＤＡＢのアンサンブルのサービスのサービス識別コードＳＩｄと一致すれば、そのサービス識別ＳＩｄに対応するサービスは、ＦＭ放送等とＤＡＢ放送の双方で放送されている、すなわち、現在ＦＭ放送等で受信されているサービスと同一内容のサービスがＤＡＢで放送されていると判定することができる。
【００４０】
同一内容のサービスがＤＡＢで放送されている場合は、制御部２４はそのＤＡＢサービスの受信動作を開始する（ステップ１１１）。この受信動作は、以下のようにして行われる。まず、ステップ１１０の判定動作において、現在受信中のＦＭ放送等のサービス識別コードＳＩｄが現在受信中のＤＡＢのアンサンブルに含まれるサービスのサービス識別ＳＩｄと一致した場合には、現在受信中のＤＡＢのアンサンブルに含まれるサービスが現在受信中のＦＭ放送等のサービスと同一内容であるということであるから、制御部２４は、ＤＡＢデコード部６に対してこのサービスのサービス識別情報を出力し、ＤＡＢデコード部６ではこのサービス識別情報に対応するサービスのＭＰＥＧオーディオデータをオーディオデコード部８に入力する。このＭＰＥＧオーディオデータは、オーディオデコード部８によってＰＣＭオーディオデータに変換され、さらにＤ／Ａ変換器１０によってアナログの音声信号に変換される。また、制御部２４は、スイッチ部２６に向けて切り替え指示を出力し、Ｄ／Ａ変換器１０から出力されたアナログの音声信号がアンプ１２を通すことにより増幅されて、スピーカ１４から出力される。
【００４１】
一方、現在受信中のＦＭ放送等のサービス識別コードＳＩｄが現在受信中でないＤＡＢのアンサンブルに含まれるサービスのサービス識別ＳＩｄと一致した場合には、現在受信中でないＤＡＢのアンサンブルに含まれるサービスが現在受信中のＦＭ放送等のサービスと同一内容であるということであるから、制御部２４は、サービスとＤＡＢやＦＭ等の周波数インフォメーションに関するＦＩＧ（０／６）およびＦＩＧ（０／２１）を解析することによって、現在ＦＭ放送等で受信中のサービスと同一内容のサービスを放送しているＤＡＢのアンサンブルに対応する搬送波周波数を抽出し、ＤＡＢフロントエンド部４に受信周波数切り替えの指示を出す。ＤＡＢフロントエンド部４は、この指示に従って受信周波数を切り替えて、ＤＡＢデコード部６に向けて中間周波信号を出力する。ＤＡＢデコード部６は、この中間周波信号に対して所定の処理を行い、ＦＩＣや復号データ（ＭＰＥＧオーディオデータ）からなるデータフレームを出力する。以後、現在受信中のアンサンブルに検索によって検出されたサービスが含まれている場合と同様にして、該当するサービスのＭＰＥＧオーディオデータが抽出され、ＰＣＭオーディオデータに変換された後、Ｄ／Ａ変換器１０によってアナログ信号に変換されてスピーカ１４から出力される。ＤＡＢサービスの受信動作を開始すると、制御部２４は、ステップ１０１、１０２に戻って、ＤＡＢ受信指示がされたか否か、または、ＦＭ放送等の受信指示がされたか否かを監視する。
【００４２】
また、ＦＭ放送等の受信品質が所定値以上であった場合（ステップ１０９の肯定判断）や、受信品質は所定値以下であるが受信中のＦＭ放送等のサービスと同一内容のサービスがＤＡＢで放送されていない場合（ステップ１１０の肯定判断）は、制御部２４は、利用者によって検索のためのプログラムタイプＰＴｙが設定されているか否か、すなわち、優先的に受信するサービスが設定されているか否かを判定する（ステップ１１２）。プログラムタイプＰＴｙが設定されている場合には、制御部２４は、いずれかのＤＡＢのアンサンブルにおいて、この設定されたプログラムタイプＰＴｙに対応するサービスが放送されているか否かを判定し（ステップ１１３）、放送されている場合は、そのサービスを受信するための受信動作を行う（ステップ１１４）。
【００４３】
ステップ１１３およびステップ１１４の具体的な動作を以下に示す。なお、ＦＭ放送等の受信品質が所定値以上であった場合（ステップ１０９の肯定判断）は、バックグラウンドでＤＡＢを受信していないため、まず、ステップ１１０と同様にバックグラウンドでＤＡＢの受信を行うものとする。
【００４４】
上述したように、プログラムタイプに関するＦＩＧ（０／１７）には、各サービスの種別を表すＩｎｔコードが含まれており、このＩｎｔコードを用いることにより、各サービスが検索対象のサービスに一致するか否かを調べることができる。検索対象となっているサービスが検出されると、制御部２４は、プログラムタイプに関するＦＩＧ（０／１７）を参照することにより、検出されたサービスのサービス識別ＳＩｄを取得し、さらに、アンサンブル内のサービスリストに関するＦＩＧ（０／２）を解析して、検索によって検出されたサービスが現在受信中のアンサンブルに含まれるか否かを判定する。現在受信中のアンサンブルに含まれている場合は、制御部２４は、ＤＡＢデコード部６に対してこのサービスのサービス識別情報を出力し、ＤＡＢデコード部６ではこのサービス識別情報に対応するサービスのＭＰＥＧオーディオデータをオーディオデコード部８に入力する。このＭＰＥＧオーディオデータは、オーディオデコード部８によってＰＣＭオーディオデータに変換され、さらにＤ／Ａ変換器１０によってアナログの音声信号に変換される。また、制御部２４は、スイッチ部２６に向けて切り替え指示を出力し、Ｄ／Ａ変換器１０から出力されたアナログの音声信号がアンプ１２を通すことにより増幅されて、スピーカ１４から出力される。
【００４５】
一方、検索によって検出されたサービスが現在受信中のアンサンブルに含まれていない場合は、制御部２４は、サービスとＤＡＢやＦＭ等の周波数インフォメーションに関するＦＩＧ（０／６）およびＦＩＧ（０／２１）を解析して、このサービスに対応する搬送波周波数を抽出し、ＤＡＢフロントエンド部４に受信周波数切り替えの指示を出す。ＤＡＢフロントエンド部４は、この指示に従って受信周波数を切り替えて、ＤＡＢデコード部６に中間周波信号を入力する。ＤＡＢデコード部６は、この中間周波信号に対して所定の処理を行い、ＦＩＣや復号データ（ＭＰＥＧオーディオデータ）からなるデータフレームを出力する。以後、現在受信中のアンサンブルに検索によって検出されたサービスが含まれている場合と同様にして、該当するサービスのＭＰＥＧオーディオデータが抽出され、ＰＣＭオーディオデータに変換された後、Ｄ／Ａ変換器１０によってアナログの音声信号に変換されて、スピーカ１４から出力される。また、制御部２４は、スイッチ部２６に向けて切り替え指示を出力し、Ｄ／Ａ変換器１０から出力されたアナログの音声信号がアンプ１２を通すことにより増幅されて、スピーカ１４から出力される。設定されたプログラムタイプＰＴｙのサービスの受信動作を開始すると、制御部２４は、ステップ１０１、１０２に戻り、ＤＡＢ受信指示がされたか否か、または、ＦＭ放送等の受信指示がされたか否かを監視する。
【００４６】
なお、利用者がプログラムタイプＰＴｙを設定していない場合（ステップ１１２の否定判断）や利用者が設定したプログラムタイプＰＴｙに対応するサービスがどのアンサンブルにおいても放送されていなかった場合（ステップ１１３の否定判断）には、制御部２４は、ステップ１０１、１０２に戻り、ＤＡＢ受信指示がされたか否か、または、ＦＭ放送等の受信指示がされたか否かを監視する。
【００４７】
このように、ＤＡＢ放送とＦＭ放送等で同一サービスを放送しており、かつ、ＦＭ放送等の受信品質が所定値以上であれば、ＦＭ放送等を優先的に出力することにより、バックグラウンドでＤＡＢを受信することが多くなるため、利用者が設定したサービスの検索等の処理を迅速に行うことが可能になる。また、ＤＡＢはバックグラウンドで動作するため、その受信周波数を変更して実際に各種のサービス等が受信可能な周波数を調べたり、複数のアンサンブルに含まれる各種の制御情報を用いた様々な検索処理等が可能となる。
【００４８】
なお、本発明は、上記実施形態に限定されるものではなく、本発明の要旨の範囲内で種々の変形実施が可能である。例えば、上述した実施形態では、利用者によって優先的に受信するサービスが設定されている場合に、バックグラウンドでＤＡＢを受信して、設定されたサービスの検索を行ったが、アナウンスメントを優先的に受信するように設定してもよい。
【００４９】
利用者によって設定されたアナウンスメントタイプに属するアナウンスメントが放送されているか否かの判定とアナウンスメントの受信動作は、以下の手順となる。設定されたアナウンスメントタイプに属するアナウンスメントが放送されているか否かの判定については、まず、制御部２４は、アナウンスメントサポートに関するＦＩＧ（０／１８）およびＦＩＧ（０／２５）に含まれているアナウンスメントタイプを示すＡｓｕフラグを用いることにより、各アナウンスメントが検索対象のアナウンスメントに一致するか否かを調べる。検索対象となっているアナウンスメントが検出されると、次に制御部２４は、アナウンスメントスイッチングに関するＦＩＧ（０／１９）およびＦＩＧ（０／２６）を解析して、検出されたアナウンスメントがバックグラウンドで現在放送中であるか否かを判定し、現在放送中である場合には、そのアナウンスメントに切り替えて、対応する音声を出力する。
【００５０】
具体的には、検索対象となるＡｓｗフラグを有するアナウンスメントがバックグラウンドで現在受信中のアンサンブルについてのアナウンスメントスイッチングに関するＦＩＧ（０／１９）から検出された場合は、制御部２４は、そのＦＩＧ（０／１９）を解析して、ＤＡＢデコード部６に対して、そのアナウンスメントの識別情報を出力する。ＤＡＢデコード部６は、この出力された識別情報に対応するアナウンスメントのＭＰＥＧオーディオデータを抽出してオーディオデコード部８に入力する。このＭＰＥＧオーディオデータは、オーディオデコード部８によってＰＣＭオーディオデータに変換され、さらにＤ／Ａ変換器１０によってアナログの音声信号に変換される。また、制御部２４は、スイッチ部２６に向けて切り替え指示を出力し、Ｄ／Ａ変換器１０から出力されたアナログの音声信号がアンプ１２を通すことにより増幅されて、スピーカ１４から出力される。
【００５１】
また、検索対象となるＡｓｗフラグを有するアナウンスメントがバックグラウンドで現在受信中でないアンサンブルについてのアナウンスメントスイッチングに関するＦＩＧ（０／２６）から検出された場合は、制御部２４は、そのアナウンスメントを放送しているアンサンブルとアナウンスメントの識別情報を検出し、サービスとＤＡＢやＦＭ等の周波数インフォメーションに関するＦＩＧ（０／６）およびＦＩＧ（０／２１）を解析して、切り替え先のアナウンスメントに対応する搬送波周波数を求め、ＤＡＢフロントエンド部４に受信周波数切り替えの指示を出す。ＤＡＢフロントエンド部４は、この指示に従い、対応する周波数に切り替えて、ＤＡＢデコード部６に中間周波信号を入力する。ＤＡＢデコード部６は、この中間周波信号に対して所定の処理を行い、ＦＩＣや復号データ（ＭＰＥＧオーディオデータ）からなるデータフレームを出力する。次に、制御部２４は、検出されたクラスタＩｄに対応する現在受信中のアンサンブルについてのアナウンスメントスイッチングに関するＦＩＧ（０／１９）を解析して、ＤＡＢデコード部６に対して検出されたクラスタＩｄに対応するアナウンスメントの識別情報を出力する。ＤＡＢデコード部６は、この出力された識別情報に対応するアナウンスメントのＭＰＥＧオーディオデータを抽出してオーディオデコード部８に入力する。このＭＰＥＧオーディオデータは、オーディオデコード部８によってＰＣＭオーディオデータに変換され、さらにＤ／Ａ変換器１０によってアナログの音声信号に変換される。また、制御部２４は、スイッチ部２６に向けて切り替え指示を出力し、Ｄ／Ａ変換器１０から出力されたアナログの音声信号がアンプ１２を通すことにより増幅されて、スピーカ１４から出力される。
【００５２】
【発明の効果】
上述したように、本発明によれば、デジタルオーディオ放送を受信する第１の受信手段と、このデジタルオーディオ放送と同一内容の番組が含まれる他の放送を受信する第２の受信手段とを有しており、同じ内容の番組が放送されている場合には、この番組を第２の受信手段によって優先的に受信しており、第１の受信手段は自由に搬送波周波数を切り替えて各種の番組を受信することができるため、実際に受信可能な各種番組の周波数を調べたり、複数の搬送波に含まれる各種の制御情報を用いた様々な検索処理等が可能であり、受信機全体の機能を有効に利用することができるとともに、デジタルオーディオ放送を用いる場合の各種受信動作の制約を少なくすることができる。
【００５３】
また、上述した第２の受信手段を用いた番組の受信は、第２の受信手段によって受信する番組の受信品質が所定値以上であるときに行うことが好ましく、このようにすることで、受信番組の品質を維持しながら第１の受信手段を用いた各種の動作が可能となる。
【図面の簡単な説明】
【図１】本発明を適用した一実施形態のＤＡＢ受信機の構成を示す図である。
【図２】ＤＡＢ受信機で使用されるフレーム構造を示す図である。
【図３】ＤＡＢとＦＭ放送またはＡＭ放送が同一内容のサービスを放送している場合の動作手順を示す流れ図である。
【符号の説明】
１  ＤＡＢ受信機
４  ＤＡＢフロントエンド部
６  ＤＡＢデコード部
８  オーディオデコード部
１８  ＦＭ・ＡＭフロントエンド部
２０  ＦＭ・ＡＭ復調部
２２  ＲＤＳデコード部
２６  スイッチ部
２８  操作部
【図１】
0003647619.tif 000002
【図２】
0003647619.tif 000003
【図３】
0003647619.tif 000004